(57)【要約】【課題】新券発行機において、収納庫に収納された新券の枚数を確実に計数することのできる構成が望まれていた。【解決手段】新券発行機は、紙幣収納庫と、紙幣収納庫に収納された紙幣を繰り出して投出するための投出口と、紙幣収納庫に収納された紙幣の枚数を計数するための計数装置とを備える。計数装置は、イメージセンサ８０を有しており、イメージセンサ８０により集積紙幣Ｍの端縁部分を集積側方から撮像した画像が得られる。この画像を画像処理回路で画像分析し、各紙幣の端縁（エッジ）データを取り出すことにより、集積紙幣の枚数を正確に検出することができる。【選択図】図１３
2010237783.tif 000002
【特許請求の範囲】
【請求項１】
積層したシート状物の端縁部分を、集積側方から撮像するための撮像手段と、
前記撮像手段により撮像された端縁部分の画像データを分析し、端縁情報を検出するための画像分析手段と、
前記画像分析手段によって検出された端縁情報に基づいて、前記積層したシート状物の枚数を出力するための計数手段と、
を含むことを特徴とする、シート状物計数装置。
【請求項２】
積層するシート状物を収納する収納部を有し、当該収納部は、積層したシート状物の一側縁に当接してシート状物を積層方向と交差する方向に揃えるとともに、積層方向に対して所定の傾斜角でシート状物を順次ずらすための揃え平面を備えることを特徴とする、請求項１記載のシート状物計数装置。
【請求項３】
前記画像分析手段は、端縁部分の画像データを分析し、端縁近傍における各シート状物間の隙間情報を検出することができ、
前記計数手段は、前記画像分析手段によって検出された端縁情報および隙間情報に基づいて、前記積層したシート状物の枚数を出力することを特徴とする、請求項１または２記載のシート状物計数装置。
【請求項４】
前記計数手段は、前記端縁情報に基づいてシート状物の枚数を検出し、その検出枚数を前記隙間情報に基づいて補完することを特徴とする、請求項３記載のシート状物計数装置。
【請求項５】
前記画像分析手段は、端縁部分の画像データを分析し、所定の撮像ピッチ毎に現れる端縁の位置および数を集計し、前記端縁情報を検出することを特徴とする、請求項１記載のシート状物計数装置。
【請求項６】
積層したシート状物のコーナーを中心にして一方側縁および他方側縁を含むコーナー部分を、シート状物の集積側方から撮像するための撮像手段と、
前記撮像手段により撮像されたコーナー部分の画像データを分析し、コーナーを中心とする一方側縁および他方側縁の隙間情報を検出するための画像分析手段と、
前記画像分析手段によって検出された２つの隙間情報に基づいて、前記積層したシート状物の枚数を出力するための計数手段と、
を含むことを特徴とする、シート状物計数装置。
【請求項７】
前記積層するシート状物の一方側縁および他方側縁の少なくとも一方を所定の傾斜角に沿ってずらすためのずらし手段をさらに有することを特徴とする、請求項６記載のシート状物計数装置。
【発明の詳細な説明】
【技術分野】
【０００１】
この発明は、紙幣、有価証券、商品券等の紙葉類、クレジットカード、キャッシュカード、プリペイドカード等のカード状体などのシート状物の枚数を計数するためのシート状物計数装置に関する。
【背景技術】
【０００２】
この発明に関連する先行技術として、特許文献１に記載の紙葉類計数装置がある。特許文献１に記載の紙葉類計数装置は、紙幣等を非接触で一括計数するための装置であり、紙葉類を略直角以上折り曲げて各紙葉類の端辺が平行状態でずれを生じるように紙葉類をずらす紙葉類ずらし機構が備えられている。ずらされることにより紙葉類の端部は段差を生ずるので、生じた段差にほぼ平行に光を照射し、段差により形成される影を撮像して、その影の数と幅に基づいて紙葉類の枚数を計数するという構成になっている。
【先行技術文献】
【特許文献】
【０００３】
【特許文献１】特許第３０５１１４６号公報
【発明の概要】
【発明が解決しようとする課題】
【０００４】
特許文献１に記載の技術では、紙葉類の枚数を計数するために紙葉類を湾曲させなくてはならない。このため、計数する紙葉類がたとえば紙幣新券の場合には、新券に傷がついたり折れ目がついたりする恐れがある。また、紙幣等ではない、キャッシュカード、プリペイドカード等のカード状体の場合は、カード状体を略直角以上に湾曲させることができないので、計数できないという課題がある。
【０００５】
この発明は、このような背景技術を前提としてなされたものであり、計数対象物を広くシート状物（紙幣その他の紙葉類、クレジットカード、キャッシュカード等のカード状体の双方を含む概念）とし、それらシート状物の計数を正確に行うことのできるシート状物計数装置を提供することを主たる目的とする。
【０００６】
この発明は、また、シート状物を計数する際に、シート状物に非接触で、シート状物を静止状態としてその枚数を計数することのできるシート状物計数装置を提供することを他の目的とする。
【０００７】
この発明は、さらに、シート状物の画像を撮像し、その画像処理を行うことによってシート状物の枚数を正確に検知することのできる計数装置を提供することを他の目的とする。
【課題を解決するための手段】
【０００８】
請求項１記載の発明は、積層したシート状物の端縁部分を、集積側方から撮像するための撮像手段と、前記撮像手段により撮像された端縁部分の画像データを分析し、端縁情報を検出するための画像分析手段と、前記画像分析手段によって検出された端縁情報に基づいて、前記積層したシート状物の枚数を出力するための計数手段と、を含むことを特徴とする、シート状物計数装置である。
【０００９】
請求項２記載の発明は、積層するシート状物を収納する収納部を有し、当該収納部は、積層したシート状物の一側縁に当接してシート状物を積層方向と交差する方向に揃えるとともに、積層方向に対して所定の傾斜角でシート状物を順次ずらすための揃え平面を備えることを特徴とする、請求項１記載のシート状物計数装置である。
【００１０】
請求項３記載の発明は、前記画像分析手段は、端縁部分の画像データを分析し、端縁近傍における各シート状物間の隙間情報を検出することができ、前記計数手段は、前記画像分析手段によって検出された端縁情報および隙間情報に基づいて、前記積層したシート状物の枚数を出力することを特徴とする、請求項１または２記載のシート状物計数装置である。
【００１１】
請求項４記載の発明は、前記計数手段は、前記端縁情報に基づいてシート状物の枚数を検出し、その検出枚数を前記隙間情報に基づいて補完することを特徴とする、請求項３記載のシート状物計数装置である。
【００１２】
請求項５記載の発明は、前記画像分析手段は、端縁部分の画像データを分析し、所定の撮像ピッチ毎に現れる端縁の位置および数を集計し、前記端縁情報を検出することを特徴とする、請求項１記載のシート状物計数装置である。
【００１３】
請求項６記載の発明は、積層したシート状物のコーナーを中心にして一方側縁および他方側縁を含むコーナー部分を、シート状物の集積側方から撮像するための撮像手段と、前記撮像手段により撮像されたコーナー部分の画像データを分析し、コーナーを中心とする一方側縁および他方側縁の隙間情報を検出するための画像分析手段と、前記画像分析手段によって検出された２つの隙間情報に基づいて、前記積層したシート状物の枚数を出力するための計数手段と、を含むことを特徴とする、シート状物計数装置である。
【００１４】
請求項７記載の発明は、前記積層するシート状物の一方側縁および他方側縁の少なくとも一方を所定の傾斜角に沿ってずらすためのずらし手段をさらに有することを特徴とする、請求項６記載のシート状物計数装置である。
【発明の効果】
【００１５】
請求項１記載の発明によれば、積層したシート状物の端縁部分を、集積側方から撮像することにより端縁部分の画像を得る。この端縁部分の画像から、積層したシート状物の端縁を正しく検出することができるので、端縁の数に基づいてシート状物の枚数を正確に計数することが可能である。
【００１６】
請求項２記載の発明によれば、シート状物の端縁部分は、シート状物の積層方向に対して所定の傾斜角でずらされているため、シート状物の端縁は段差状に揃う。このため、集積側方から撮像した端縁部分の画像は、端縁を検出し易い状態の画像データとなる。
【００１７】
請求項３記載の発明によれば、シート状物の端縁情報だけではなく、隙間情報を検出し、その隙間情報を枚数検知に利用するので、より正確なシート状物の枚数検出を行うことができる。特に、請求項４記載のように、端縁情報を基準にし、隙間情報に基づいて端縁情報を補完することにより、より正確なシート状物の枚数検知が行える。
【００１８】
請求項５記載の発明によれば、シート状物の端縁情報を、端縁の位置および数に分解し、たとえばマトリクス状に集計する。そして、集計した端縁情報に基づいて端縁の数を計数することにより、シート状物をより正確に枚数検知することができる。
【００１９】
請求項６記載の発明によれば、シート状物の集積側方からコーナー部分の画像を撮像し、その画像データを分析することによりシート状物の枚数を出力するため、コーナーを中心とする一方端縁側および他方端縁側の２つの隙間情報に基づくより正確な枚数検知を実現することができる。
【００２０】
請求項７記載の発明によれば、さらに積層するシート状物がコーナーを中心に一定の傾斜角に沿ってずらされているため、より正確なシート状物の枚数検知を行うことができる。
【図面の簡単な説明】
【００２１】
【図１】図１は、この発明の一実施形態に係る計数装置が搭載された新券発行機の外観斜視図である。
【図２】図２は、本体ユニット３が起立状態であって、かつ、本体ユニット３に備えられた扉７が開かれた状態の新券発行機１の斜視図である。
【図３】図３は、本体ユニット３の横臥状態と起立状態との姿勢切り換えを説明するための新券発行機１を右側から見た図解的な縦断面図である。
【図４】図４は、新券発行機１の平面図（本体ユニット３が横臥状態の平面図）であり、扉７を省略した平面図である。
【図５】図５は、紙幣収納庫１０Ａに２金種の紙幣が収納された状態を図解的に示す部分平面図である。
【図６】図６は、札押さえ１８、１９の機構および動作を説明するための図解的な斜視図である。
【図７Ａ】図７Ａは、札押さえ１８、１９の具体的な構成を表わす平面図である。
【図７Ｂ】図７Ｂは、札押さえ１８、１９の具体的な構成を表わす正面図である。
【図８】図８は、紙幣収納庫１０が紙幣を収納し易い構成であることを説明するための図解的な図であり、本体ユニット３が起立状態における紙幣収納庫１０を前方斜め右上から見た斜視図である。
【図９】図９は、図８のＡ−Ａに沿う図解的な部分縦断面図である。
【図１０】図１０は、本体ユニット３を奥側から見た本体ユニット３の下方部分の図解図である。
【図１１】図１１は、繰り出し機構の構成およびレイアウトを説明するための図である。
【図１２】図１２は、この実施形態に係る新券発行機１に採用されている紙幣繰り出しのための改良された搬送路の構成を説明するための平面図である。
【図１３】図１３は、計数装置４０に備えられているイメージセンサ８０により積層した紙幣Ｍの端縁部分を撮像する様子を説明するための図である。
【図１４】図１４は、イメージセンサ８０により得られる集積紙幣の端縁部分の画像と、その画像の分析手順と、それにより得られる枚数情報の出力を説明するための図である。
【図１５】図１５は、イメージセンサ８０により撮像された端縁部分の画像に基づいて、隙間情報を得、その隙間情報から枚数情報を得る方法および手法を説明するための図である。
【図１６】図１６は、計数装置４０に備えられている画像処理回路の構成例を示すブロック図である。
【図１７】図１７は、計数回路９２の計数処理動作を説明するためのフローチャートである。
【図１８】図１８は、紙幣を積層方向に対して所定の傾斜角を有して揃えるための構成（紙幣端部を階段状にするための構成）の各種の例を説明するための図解図である。
【図１９】図１９は、積層紙幣の端縁部分を集積側方から撮像して、端縁情報を得る処理を説明するための図である。
【図２０】図２０は、図１９に示す手法により得られた端縁情報に基づいて、紙幣枚数を計数する処理に用いられるデータ処理テーブルの例を示す図である。
【図２１】図２１は、積層紙幣とそのコーナー部に対向して配置されたイメージセンサとの配置関係を説明するための図解図である。
【図２２】図２２は、積層紙幣のコーナー部分の画像データに基づいて紙幣枚数を検出する処理を説明するための図である。
【図２３】図２３は、積層紙幣のコーナー部分の画像データに基づいて紙幣枚数を検出する処理を説明するための図である。
【図２４】図２４は、積層紙幣のコーナー部分の画像データに基づいて紙幣枚数を検出する処理を説明するための図である。
【図２５】図２５は、紙幣収納庫に収納された紙幣の積層方向の厚みの変化を検出するための構成を説明するための図解図である。
【図２６】図２６は、紙幣収納庫に収納された紙幣の積層方向の厚みの変化を検出するための構成を説明するための図解図である。
【図２７】図２７は、イメージセンサにより検出された積層紙幣のあるべき状態の厚みを表わすパルスと、実際に検出された状態の厚みを表わすパルスとの対比を説明するための図である。
【図２８】図２８は、紙幣収納用カセットの内側壁に設けられた紙幣の厚み検出用センサの配置位置を説明するための図である。
【図２９】図２９は、紙幣収納庫内に収納された紙幣に触れたか否かを検出するためのセンサの構成を説明するための図解図である。
【図３０】図３０は、紙幣収納庫内に収納された紙幣の変化と、それの検知内容を説明するための図解図である。
【発明を実施するための形態】
【００２２】
以下には、図面を参照して、この発明の実施形態について具体的に説明をする。
以下の実施形態では、計数対象物として、新券（未使用紙幣）を例にとって説明する。
図１は、この発明の一実施形態に係る計数装置が搭載された新券発行機１の外観斜視図である。新券発行機１は、銀行営業店等に設置され、たとえば窓口において操作者（行員）が操作することにより、所定金種の新券を所定枚数発行することができる装置である。
【００２３】
図１を参照して、新券発行機１は、ベース２およびベース２に取り付けられた本体ユニット３を有する。ベース２は図示しない固定部を備えており、固定部によって銀行営業店のカウンタや金銭出納機の上部等に固定される。
【００２４】
本体ユニット３は、平面視が略長方形状で、正面視は横長の略長方形状をした厚み（高さ）の小さな直方体状をしており、ベース２に取り付けられている。本体ユニット３の正面４の左端寄りには、上下方向に延びるスリット状の紙幣投出口５が形成されている。本体ユニット３の正面４の右側上部から上面には、操作部６が備えられている。操作部６には、図示しないが、発行する新券の金種を特定するボタンや発行枚数を入力するボタン等が備えられている。操作者（行員）が操作部６を操作することにより、本体ユニット３内に収納された新券を投出口５から投出（発行）することができる。
【００２５】
本体ユニット３には、開閉可能な扉７が備えられている。扉７は、たとえば右辺が回動可能に取り付けられており、右辺を中心に左辺側が回動して開閉される。扉７の左辺には扉７を閉じた状態に維持するためのロック装置８が備えられている。
【００２６】
新券発行機１は、図１に示す本体ユニット３が横臥状態（正面４が正面を向いて垂直になった状態）で操作され、新券発行処理が行われる。そして、新券発行機１は、本体ユニット３内に新券を収納する際には、本体ユニット３をベース２に対して前方へ略９０°起き上がらせた起立状態にすることができる。
【００２７】
図２は、本体ユニット３が起立状態であって、かつ、本体ユニット３に備えられた扉７が開かれた状態の斜視図である。新券発行機１を図２の状態にすることにより、本体ユニット３内に形成された紙幣収納庫１０への紙幣の収納が容易に行える。
【００２８】
図３は、本体ユニット３の横臥状態と起立状態との姿勢切り換えを説明するための新券発行機１を右側から見た図解的な縦断面図である。新券発行機１にはガスダンパー１１が備えられている。ガスダンパー１１の一端はベース２内に固定されており、その他端は本体ユニット３内の前方上方寄りの位置に固定されている。そして本体ユニット３は、下面前方寄りの位置がベース２の上面前方寄りの位置と連結された回動支点１２を備えている。この回動支点１２を中心に、ガスダンパー１１の伸縮力に補助されて、ベース２に対する本体ユニット３の姿勢を横臥状態と起立状態とに、手動で切り換えることができる。
【００２９】
この実施形態では、図３に示すように、本体ユニット３を水平位置（横臥状態）から回動支点を中心にほぼ垂直になるよう回転させ、起立状態にすることができる。本体ユニット３が起立状態のとき、紙幣収納庫１０の底面を区画する揃え平面１３は、奥から前方に向かって、垂直方向に対してほぼ水平状態となる。また、紙幣収納庫１０の奥面を区画する奥当て板１４は、水平方向に対してほぼ垂直な面となる。よって、紙幣収納庫１０内へ、その前方開放部から紙幣（新券）を容易に収納することができる。紙幣収納は、多数枚の紙幣を横方向に積層させた状態で、紙幣の一方短辺（下側短辺）を揃え平面１３に当接させ、その状態で紙幣を奥へ押し込み、紙幣の奥側長辺を奥当て板１４に当接させるように行われる。収納時、紙幣は自重（重力）により下側短辺が揃え平面１３に自然に当接する。
【００３０】
なお、ここでは水平位置と垂直位置の２ヶ所で紙幣を固定する構成を示したが、紙幣の載置高さや、操作性の面から、紙幣を３ヶ所で固定したり、固定位置がリニアに変化する構成とすることも可能である。
【００３１】
また、紙幣収納庫１０に紙幣が収納された後、扉７を閉じることにより、仮に何枚かの紙幣が奥当て板１４に当接しておらず前方寄りに偏位していても、閉じられる扉７により前方に偏位している紙幣の前辺が押し込まれ、紙幣は奥当て板１４に当接される。
【００３２】
図４は、新券発行機１の平面図（本体ユニット３が横臥状態の平面図）であり、扉７を省略した平面図である。
【００３３】
この実施形態の特徴は、本体ユニット３内に形成された紙幣収納庫１０の一面を区画する揃え平面が、収納する紙幣の積層方向に対して所定の傾斜角を有するように設けられていることである。より具体的に述べると、平面視において、本体ユニット３内には、２つの紙幣収納庫１０Ａ、１０Ｂが左右に配列されている。そして各紙幣収納庫１０Ａ、１０Ｂは右上がりに傾斜した収納庫となっている。
【００３４】
左側の紙幣収納庫１０Ａを例にとって説明すると、紙幣収納庫１０Ａは、揃え平面１３と、左垂直側面１５と、右垂直側面１６と天面１７とによって区画された平面視が平行四辺形状をしている。揃え平面１３は紙幣の積層方向Ａ１（図において水平な左右方向）に対して右上がりに傾斜が付けられた傾斜平面とされている。天面１７は、揃え平面１３と紙幣の長辺長さ＋α（αはわずかな隙間）の寸法を隔てて設けられており、天面１７も揃え平面１３と同じ傾斜を有する傾斜平面とされている。左垂直側面１５および右垂直側面１６は、図において上下方向に延びている。このため、多数枚の紙幣を横方向に積層した状態で、長辺が上下に延びる方向に紙幣収納庫１０Ａに収納されると、紙幣の下側短辺は揃え平面１３に当接して揃えられる。その結果、横方向に積層された紙幣は、揃え平面１３の傾斜に沿って、各紙幣間にわずかな段差が生じるように揃えられる。積層された紙幣は、左から右に向かって順にこの段差を有するため、後述するように、紙幣収納庫１０に収納された積層紙幣の下側縁近傍を奥側から計数装置で計数する際に、紙幣が有する段差によって紙幣の枚数をより正確に計数することが可能となる。
【００３５】
紙幣収納庫１０Ａは、奥側が前述した奥当て板１４で区画されている。奥当て板１４は揃え平面１３の傾斜に合わせて左から右方向へ傾斜して配置されている。紙幣収納庫１０Ａに収納された紙幣は、奥側長辺が奥当て板１４により位置規制され、下側短辺が揃え平面１３により位置規制される。そして奥当て板１４のさらに奥側下方には計数装置（後述する）が配置されている。奥当て板１４および揃え平面１３により奥側長辺および下側短辺が揃えられた紙幣の一側縁は、計数装置により検出され、その枚数が正確に計数され得る。
【００３６】
右側の紙幣収納庫１０Ｂも、紙幣収納庫１０Ａと同等の構成である。よって、同一または対応する部材には同一番号を付し、重複した説明については省略する。
【００３７】
この実施例では、紙幣収納庫１０Ａには、２金種の紙幣（たとえば１万円紙幣および５千円紙幣）が収容可能とされている。紙幣収納庫１０Ａに収納される多数枚の１万円紙幣（新券）は、揃え平面１３および奥当て板１４に沿って揃えられ、一方面が左垂直側面１５に当接するように積層される。そして一方の札押さえ１８により他方面が弾力的に押さえられる。多数枚の５千円紙幣（新券）は、揃え平面１３および奥当て板１４によって揃えられ、一方面が右垂直側面１６に当接するように積層される。そして５千円紙幣の積層体の他方面は他方の札押さえ１９により弾力的に押さえられる。札押さえ１８、１９は、左垂直側面１５と右垂直側面１６との間の空間内を左垂直側面１５および右垂直側面１６と平行に、すなわち揃え平面１３と同じ傾斜を保った状態で平行移動することができる。このため、紙幣収納庫１０Ａ内に収納可能な紙幣枚数（合計収納枚数）は、たとえば８００枚と一定であるが、紙幣収納庫１０Ａ内へ収納する１万円紙幣と５千円紙幣との収納割合は、総枚数の範囲内において自由に調整することができる。たとえば、１万円札を６００枚収納し、５千円紙幣は２００枚とすることができるし、１万円紙幣および５千円紙幣共に４００枚を収納することもできる。
【００３８】
このように、紙幣収納庫１０Ａが、２金種の紙幣を収納することができ、その収納割合は任意に調整可能としたことにより、実際の使用に適した装置とすることができる。
【００３９】
この実施形態では、他方の紙幣収納庫１０Ｂは、基本的な構成は紙幣収納庫１０Ａと同じであるが、紙幣収納枚数が２金種合計で４００枚となっている。紙幣収納庫１０Ｂには、たとえば千円紙幣と２千円紙幣とが収納される。
【００４０】
この実施形態のように、２つの紙幣収納庫１０Ａおよび１０Ｂを設け、１つの収納庫に２金種の紙幣を収納可能な構成とすることにより、たとえば４金種の紙幣を収納する場合に、各金種毎に４つの収納庫を設ける場合に比べて、機器の幅（左右方向寸法）を短くすることができ、しかも全体の収納容量を実用上支障のない範囲で同等に保つことができる。
【００４１】
たとえば、４金種（たとえば、１万円、５千円、２千円、千円）それぞれを３００枚収納可能な紙幣収納庫を４つ配置した従来の装置は、収納容量が全体で１２００枚であった。しかし、この場合、たとえば２千円紙幣を収納する収納庫には、２千円紙幣の流通量が少ないこともあって、３００枚の２千円紙幣が収納されることは少なく、２千円紙幣用の収納庫には空きスペースが存在していることが多かった。
【００４２】
そこで、この実施形態では、紙幣収納庫１０Ａには２金種合計で８００枚の紙幣を収納可能とし、紙幣収納庫１０Ｂには２金種合計で４００枚の紙幣を収納可能な構成とした。この構成により、合計で１２００枚の紙幣を収納することができる。そして、１万円紙幣および５千円紙幣は、合計で８００枚収納することができ、従来の各３００枚収納する場合に比べて、合計値で２００枚の容量アップを図ることができる。また、紙幣収納庫１０Ｂは、合計で４００枚の紙幣を収納できるため、千円紙幣と２千円紙幣との合計収納数は、従来の６００枚（３００枚＋３００枚）に比べて２００枚減るが、前述したように２千円紙幣の収納量は少なくてもよい（たとえば５０枚程度で実用上問題ない）ので、ほとんどを千円紙幣の収納に使え、千円紙幣をたとえば３５０枚収納することができる。
【００４３】
従って、実際の運営上は全く問題なく、１万円紙幣、５千円紙幣、千円紙幣という流通量の多い紙幣の収納量を確保することができる。そして機器の幅を小型化することが可能となる。
【００４４】
図５は、紙幣収納庫１０Ａに２金種の紙幣が収納された状態を図解的に示す部分平面図である。紙幣収納庫１０Ａ内において、たとえば左垂直側面１５には１万円紙幣の一方面が当接され、１万円紙幣は右側に向かって所定の段差を有する積層状態で収納されている。また、右垂直側面１６には５千円紙幣の一方面が当接され、５千円紙幣は左側に向かって所定の段差を有する積層状態で収納されている。１万円紙幣の積層体１００００は、札押さえ１８により左に向かって弾力的に押圧されている。また、５千円紙幣の積層体５０００は、札押さえ１９によって右に向かって弾力的に押さえられている。
【００４５】
左垂直側面１５の上部寄りの位置には繰り出しベルト２１が配置されている。また天面１７の上方には繰り出しベルト２１と対向して設けられた重送防止用ローラー２２が備えられている。図示しない駆動源により繰り出しベルト２１が駆動されることにより、１万円紙幣は、左側（左垂直側面１５に当接する側）の紙幣から順番に１枚ずつ上方へ繰り出される。
【００４６】
同様に、右垂直側面１６の上方部には繰り出しベルト２３が組み込まれている。また天面１７の上部には、繰り出しベルト２３と対向して重送防止ローラー２４が備えられている。収納された５千円紙幣は、右垂直側面１６に当接する側の紙幣から順番に、繰り出しベルト２３が駆動されることにより１枚ずつ上方へ繰り出される。
【００４７】
図６は、札押さえ１８、１９の機構および動作を説明するための図解的な斜視図である。また、図７Ａおよび図７Ｂは、札押さえ１８、１９の具体的な構成を表わす平面図および正面図である。
【００４８】
図６、７Ａおよび７Ｂを参照して、札押さえ１８、１９は、紙幣収納庫１０Ａ内で右上りの斜め左右方向に移動することができ、収納された２金種の紙幣をそれぞれ弾力的に押圧する部材である。
【００４９】
一方の札押さえ１８は、たとえばばね２５によって斜め左方向へ常時弾力付勢されている。他方の札押さえ１９も、たとえばばね２６によって斜め右方へ向かって常時弾力付勢されている。札押さえ１８の手前側辺から手前に向かって係合杆２７が突設されている。そして係合杆２７と係合するストッパ部材２８が揃え平面１３（図４参照）と平行に、かつ揃え平面１３とは干渉しないように設けられている。ストッパ部材２８は、その上縁に長手方向に沿って鋸歯状のギザギザ（複数の爪）２８ａが形成されている。ギザギザ２８ａは、図において左から右に向かって斜めに立ち上がり、右端が垂直に下方へ立ち下がる鋸歯状である。ストッパ部材２８は、たとえばばね２９により常時上方へ向かって弾力付勢されている。
【００５０】
札押さえ１９も、同様の構成になっており、３２が係合杆、３３がストッパ部材、３３ａがギザギザ、３４がストッパ部材３３を上方へ弾力付勢しているばね、３５が係合杆３２とストッパ部材３３との係合を解除するための解除片である。
【００５１】
操作者（行員）が、紙幣収納庫１０Ａ内へ１万円紙幣（新券）を収納する際には、まず、解除片３５を押し下げ、ストッパ部材３３を降下させる。これにより、札押さえ１８の斜め右方向へのスライド移動が可能となる。そして、操作者（行員）は、札押さえ１８を斜め右方向へスライド移動させ、札押さえ１８と左垂直側面１５（図４，図５参照）との間に収容する１万円紙幣の積層体の厚みと同等程度の収容空間を形成する。その際、札押さえ１８が斜め右方向へ移動されると、係止杆２７はストッパ部材２８の上縁に沿って左から右へ移動し、ギザギザ２８ａと接触しながら右へ移動する。そして、操作者（行員）が札押さえ１８から手を放すと、係止杆２７はストッパ部材２８のギザギザ２８ａの１つと係合して、その位置で係止され、斜め左方向への移動が阻止される。このため、操作者（行員）は札押さえ１８を右に移動させた状態で札押さえ１８を保持しておく必要はなく、札押さえ１８から手を離し、両手で紙幣の積層体を紙幣収納庫１０へ収納することができる。収納が完了すると、操作者（行員）は解除片３０を押す。解除片３０はストッパ部材２８とリンクしており、ストッパ部材２８はばね２９の力に抗して押し下げられるので、係止杆２７がギザギザ２８ａから外れ、札押さえ１８はばね２５の力によって収納された紙幣を押さえる位置へ移動する。
【００５２】
ところで、紙幣収納後、解除片３０を押し忘れたとしても、扉７を閉じることによって、解除片３０および３５が扉７によって押下される構造であるので、扉７を閉塞することによって、収納された紙幣は確実に札押さえ１８、１９で弾力的に押さえられる。
【００５３】
なお、図７Ｂに示すように、１万円紙幣用の札押さえ１８のためのストッパ部材２８と、５千円紙幣用の札押さえ１９のためのストッパ部材３３とを比べると、後者の方がギザギザ３３ａの数が少なく、ストッパ部材３３の長さ方向に右側から中央付近までしかギザギザ３３ａが形成されていない。これは、実際の使用、運用に則した構成としたためである。
【００５４】
なお、本実施の形態においては、札押さえ１８、１９を２つのストッパ部材２８、３３でそれぞれ保持するようにしたが、１つのストッパ部材によって札押さえ１８、１９を保持するようにしても構わない。この場合、ギザギザは矩形状に形成するのが望ましい。
【００５５】
図８および図９は、紙幣収納庫１０が紙幣を収納し易い構成であることを説明するための図である。特に、図８は、本体ユニット３が起立状態における紙幣収納庫１０を前方斜め右上から見た斜視図であり、図９は、図８のＡ−Ａに沿う図解的な部分縦断面図である。
【００５６】
図８、９において、１３は揃え平面である。そして、図８において右手前側、図９において右側は、紙幣収納庫１０の入口（開放側）である。紙幣収納庫１０は、起立状態で、その底面が揃え平面１３で区画され、対向する天面１７が備えられている。この実施形態の特徴は、天面１７に対して揃え平面１３が前方（開放部）側へＸ（図８参照）だけ延び出ていることである。このような構成にすると、操作者（行員）は、紙幣１００００の下側短辺をまず揃え平面１３の上に乗せ、紙幣１００００の下側短辺を揃え平面１３上で揃えた状態で、紙幣１００００を紙幣収納庫１０の奥へ押し込むことができる。このように、まず、揃え平面１３に紙幣１００００の下側短辺を乗せられる構成にすると、紙幣収納庫１０への紙幣の収納がきわめて容易に行える。そして揃え平面１３で紙幣１００００の下側短辺を揃えた状態で、積層された紙幣１００００を奥へスライドさせるように押し込み、紙幣１００００の奥側長辺を奥当て板１４に当接させればよい。
【００５７】
換言すれば、この実施形態の紙幣収納庫１０は、天面１７が揃え平面１３と同様に、揃え平面１３の位置まで前方に突出していないので、前方斜め上方から操作者（行員）は紙幣収納庫１０を覗くことができ、揃え平面１３に対して紙幣１００００の下側短辺を乗せて容易に紙幣１００００を紙幣収納庫１０へ収納することができる。
【００５８】
なお、揃え平面１３と天面１７との垂直な縦方向の間隔は、前述したように、紙幣１００００の長辺長さ＋α（αはわずかな隙間）とされていることも、紙幣１００００を収納し易くしている。
【００５９】
そして仮に、紙幣が紙幣収納庫１０の奥まできちんと収納されておらず、紙幣の奥側長辺が奥当て板１４に当接していない場合には、扉７が閉じられることにより、紙幣の前側長辺が扉７により押されるので、扉７が閉じられた状態では、紙幣はその奥側長辺が奥当て板１４に確実に当接する。
【００６０】
この結果、紙幣収納庫１０の奥側下方に設けられた計数装置４０の撮像面は、紙幣の端部と微小な間隔で対向し、確実に紙幣の端部画像を撮像して、枚数を計数することが可能である。
【００６１】
図１０は、本体ユニット３を奥側（本体ユニット３が起立状態において裏面側）から見た本体ユニット３の下方部分の図解図である。
【００６２】
本体ユニット３の奥側下方部には、計数装置４０が備えられている。計数装置４０には取付部材４１が固定されており、取付部材４１を介してガイドバー４２に連結されている。ガイドバー４２は、図において、左側が上方に延びるように斜めに配置されており、計数装置４０を左右に斜め方向へ案内するためのものである。ガイドバー４２の傾斜は、紙幣収納庫１０（１０Ａ、１０Ｂ）に備えられた揃え平面１３の傾斜に対応されている。
【００６３】
また、取付部材４１には駆動ベルト４３が取り付けられている。駆動ベルト４３は、プーリ４４、４５間に張架されてガイドバー４２と平行に延びるとともに、駆動ギヤ４５に掛け回されて、駆動モータ４６によりギヤ機構４７を介して駆動される。すなわち、駆動モータ４６が回転されると、駆動ベルト４３が移動され、ガイドバー４１に案内されて計数装置４０は左右に斜め方向に移動することができる。そしてその移動に伴い、計数装置４０は、紙幣収納庫１０（１０Ａ、１０Ｂ）に収納された４金種の紙幣の各下方側端縁部を撮像（検知）して、各金種の紙幣の枚数を計数することができるものである。
【００６４】
図１１は、紙幣収納庫１０（１０Ａ、１０Ｂ）に備えられた４金種の紙幣を繰り出すための繰り出し機構７１、７２、７３、７４の駆動系統の構成を示す図である。紙幣収納庫１０には、前述したように、１万円紙幣および５千円紙幣を収納するための収納庫１０Ａならびに千円紙幣および２千円紙幣を収納するたの収納庫１０Ｂが備えられている。そして、収納庫１０Ａには紙幣繰り出し機構７１および７２が備えられており、収納庫１０Ｂには紙幣繰り出し機構７３および７４が備えられている。紙幣繰り出し機構７１は、前述したように、札押さえ１８Ａ、繰り出しベルト２１Ａおよび重送防止ローラー２２Ａを具備している。同様に、紙幣繰り出し機構７２は札押さえ１９Ａ、繰り出しベルト２３Ａおよび重送防止ローラー２４Ａを具備している。紙幣繰り出し機構７３は、札押さえ１８Ｂ、繰り出しベルト２１Ｂおよび重送防止ローラー２２Ｂを具備している。紙幣繰り出し機構７４は、札押さえ１９Ｂ、繰り出しベルト２３Ｂおよび重送防止ローラー２４Ｂを具備している。
【００６５】
各紙幣繰り出し機構７１、７２、７３、７４の繰り出し動作は、それぞれ、繰り出し用プーリ６１、６２、６３、６４が回転され、クラッチ（図示せず）が接続されて、繰り出しベルト２１Ａ、２３Ａ、２１Ｂ、２３Ｂが駆動されることにより行われる。
【００６６】
この実施形態の特徴は、繰り出し機構７２による５千円紙幣の繰り出しおよび繰り出し機構７４による２千円紙幣の繰り出しは、駆動モータ７５を正転させ、ベルト７６により繰り出し用プーリ６２および６４を正転（図において時計回りに回転）させることにより行われる構成であり、一方、繰り出し機構７１による１万円紙幣の繰り出しおよび繰り出し機構７３による千円紙幣の繰り出し時には、駆動モータ７５を逆転させ、ベルト７６により繰り出し用プーリ６１および６３を逆転（反時計回りに回転）させることにより行われる構成になっていることである。
【００６７】
このように、駆動モータ７５を正転および逆転制御することにより、繰り出し金種を選択することができる構成としたので、繰り出し機構の機械的構造を簡略化することができる。つまり、タイミングベルトは片面タイミングベルトを用いることができ、テンションプーリの配置等を省略または簡略化することができ、駆動レイアウトを省スペースで行うことができる。
【００６８】
図１２は、この実施形態に係る新券発行機１に採用されている紙幣繰り出しのための改良された搬送路の構成を説明するための平面図である。紙幣収納庫１０から上方へ繰り出される紙幣を紙幣収納庫１０の左側に備えられた投出用集積部（図４参照）へ搬送するための搬送機構５０が、紙幣収納庫１０の上部に配置されている。この搬送機構５０は、従来は、搬送路の両側に対向するプーリおよび平ベルトを設け、平ベルト間に紙幣を挟み込んで搬送するという構成であった。
【００６９】
ところが、かかる構成では、搬送機構の構成が大型化するという課題があったので、この実施形態では、平ベルト間ではなく、平ベルトとローラーとによって紙幣を挟み込み、搬送する構造に改良した。
【００７０】
すなわち、紙幣収納庫１０の上部に複数個（具体的には６個）のローラー５１、５２、５３、５４、５５、５６を所定の間隔で配列し、その６つのローラー５１〜５６に対してジグザグに平ベルト５７がかかるように搬送用の平ベルト５７を張架する。このように平ベルト５７が複数個のローラー５１〜５６に対してジグザグにかけられている場合、平ベルト５７によって紙幣を搬送するに当たり、平ベルト５７と対向する平ベルトを設ける必要はなく、平ベルト５７とローラー５３、５５、５７とに挟まれた紙幣は、屈曲されながら確実に搬送される。また、ローラー５４、５６に張架されたベルトの外側に紙幣ガイドを設ければ、紙幣は平ベルト２１に沿って屈曲されながら搬送される。つまりこの実施例では、平ベルト５７を張架する複数のローラー５１〜５６の配置を工夫して、平ベルト５７がジグザグにかかるようにした。これにより、搬送される紙幣は、平ベルト５７とローラー５１〜５６とにより確実に搬送される。その結果、対向するプーリやベルトを省略することができ、搬送装置の小型化を実現することができる。
【００７１】
図１３〜図１５は、この実施形態に係る新券発行機１における計数装置４０による計数処理の仕方の一例を説明するための図である。
【００７２】
図１０で説明したように、計数装置４０は紙幣収納庫１０（１０Ａ、１０Ｂ）に収納された４金種の紙幣の各下方端縁部を撮像（検知）して、各金種の紙幣の枚数を計数する。
【００７３】
まず、図１３を参照して説明する。図１３（ａ）は積層した紙幣Ｍを集積側方の長辺側から見た図、図１３（ｂ）は積層した紙幣Ｍを積層側方の短辺側から見た図、図１３（ｃ）は積層した紙幣Ｍを面方向から見た図である。紙幣収納庫１０に収納された各金種の紙幣Ｍは、いずれも、短辺ＭＳが一方向きにずれ、短辺ＭＳを形成する短縁が階段状にずれた状態で積層されている。計数装置４０にはイメージセンサ８０が含まれている。イメージセンサ８０は、所定の分解能を有するラインセンサを使用することができる。あるいは、イメージセンサ８０は、所定の解像度を有するＣＭＯＳセンサやＣＣＤセンサを使用することもできる。この実施例では、前者のラインセンサが用いられている。
【００７４】
イメージセンサ８０は、計数装置４０が前述したように傾斜方向に移動されるため、積層された紙幣の端縁部分を集積側方から撮像する。集積側方とは、側方から紙幣Ｍの面方向に平行に、という意味である。イメージセンサ８０の撮像エリアは、計数装置４０が移動されるに伴いイメージセンサ８０は矢印８１方向にスキャンされるので、破線で表わされるスキャンエリア８２内である。
【００７５】
この実施例では、撮像範囲８２の画像のうちＡで示す○印で囲った領域の画像データが分析されることにより積層紙幣Ｍの端縁情報が検出される。また、Ｂで示す○印で囲った領域の画像データが分析されることにより、積層紙幣Ｍの各紙幣間の隙間情報が検出される。
【００７６】
図１４（Ａ）〜（Ｄ）は、撮像データから端縁情報を検出する処理方法を表わす図である。
【００７７】
図１４（Ａ）はイメージセンサ８０により撮像された端縁部分の画像の一例を示す図である。この画像を画像処理回路において処理し、図１４（Ｂ）に示す水平方向のエッジ、即ち紙幣の端縁から積層される次の紙幣の端縁までの水平方向のラインのみが取り出される。この水平方向のエッジは、たとえば紙幣端縁を境に画素濃度が極端に変化するため、その画素濃度変化点を検出することにより取り出すことができる。
【００７８】
そして取り出された水平方向のエッジデータからノイズを除去するためにフィルタ処理を施し、さらに２値化処理を行う。この処理後のデータが図１４（Ｃ）に示すものである。
【００７９】
さらに、このデータを微分することで図１４（Ｄ）に示すように、垂直方向にヒストグラムを取り、一定閾値以上の値を紙幣の端縁（エッジ）とみなし、紙幣１枚と判断する処理を行う。図１４（Ｃ）のＡ−Ｂに対応する部分が図１４（Ｄ）のＡ−Ｂである。
【００８０】
図１５（Ａ）〜（Ｃ）は、各紙幣間の隙間情報を検出するための処理の仕方を説明するための図である。図１５（Ａ）はイメージセンサ８０により得られたＢ領域の画像の一例である。図１５（Ａ）の画像は、図１４（Ａ）の画像とは、その向きが９０°回転された向きで表わされている。図１５（Ａ）に示す画像において、白く映っているのが紙幣であり、黒く映っているのが紙幣間の隙間である。この画像をデータ分析し、垂直方向にヒストグラムを取り、表わしたものが図１５（Ｂ）である。このヒストグラムにおいて、一定の閾値以上の黒画素で形成された谷の部分を紙幣間の隙間と判別する。そうすると、図１５（Ｃ）に示すように隙間がほぼ一定の「１」の間隔で現れたり、広い間隔「３」で現れたり、図には示されてはいないがその中間程度の間隔「２」で現れたりする。
【００８１】
そこで、この間隔「１」「３」あるいは「２」を紙幣の厚み（日本の紙幣の場合、１００μｍ）と対比し、「１」の幅を紙幣１枚と計数し、「３」の幅は紙幣３枚とみなして紙幣の枚数を計数することが可能となる。
【００８２】
前記図１５の説明においては、集積した紙幣の隙間を連続して検出したが、それに限らず、以下の方法で検出することで、より精度の高いカウントが行える。
【００８３】
まず、集積した紙幣をイメージセンサによりスキャンし、所定間隔以上ある隙間ごとに集積した紙幣を複数のユニットとして区切ると共に、これらの隙間の向き（ベクトル）の和を算出し、算出した向きを設定する。
【００８４】
次に、取得したイメージから設定された向きと略同等の向きで、且つ所定間隔以下の隙間についてヒストグラムを作成していく。このようにして各ユニットの枚数をカウントし、それらの和を算出することで集積した紙幣全体の枚数が算出できる。
【００８５】
図１６は、計数装置４０に内蔵されている端縁情報および隙間情報の検出処理を行うための画像処理回路１００の回路構成ブロック図である。画像処理回路１００には、イメージセンサ８０で撮像された画像データ（このデータはアナログデータである。）をデジタルデータに変換するためのＡ／Ｄ変換回路８３が含まれている。Ａ／Ｄ変換回路８３に代えて、Ａ／Ｄ変換と同時にゲインをコントロールするＡＧＣ回路を採用することも可能である。Ａ／Ｄ変換回路８３の出力は領域分離回路８４に与えられて画像データの領域分離がされる。すなわち、図１３で説明したＡを示す○印で囲った領域のデータと、Ｂで示す○印で囲った領域のデータとに、データ分離がされる。そしてＡ領域のデータは、エッジ検出回路８５においてエッジ検出（端縁検出）が行われ、フィルタ回路８６でノイズ除去がされ、２値化処理回路８７へ与えられて、２値データとされる。２値化処理回路８７で２値化されたデータはヒストグラム生成回路８８へ与えられ、ヒストグラムが生成されて出力される。
【００８６】
一方、領域分離回路８４で領域分離されたＢ領域の画像データは、２値化処理のためにＡＢＣ処理回路８９へ与えられる。ＡＢＣ処理回路は、Auto Back Controlを行い、画像データを２値化するための回路である。なお、ＡＢＣ処理回路８９に代えて、通常の２値化回路を用いてもよい。ＡＢＣ処理回路８９の出力はノイズ除去フィルタ回路９０へ与えられてノイズが除去され、ヒストグラム生成回路９１においてヒストグラムが生成されて出力される。
【００８７】
ヒストグラム生成回路８８およびヒストグラム生成回路９１から出力されるデータは、共に、計数回路９２へ与えられる。計数回路９２では、与えられる各データに基づいて、それぞれ、積層紙幣の枚数を計数し、その計数値（紙幣枚数）を出力する。
【００８８】
図１７は、計数回路９２において行われる計数処理の内容を表わすフローチャートである。計数回路９２では、ヒストグラム出力Ａ（ヒストグラム生成回路８８からの出力）が入力されたか否かの判別をし（ステップＳ１）、ヒストグラムＡが入力されると、その閾値を設定し（ステップＳ２）、枚数カウントを行う（ステップＳ３）。このカウント値をＡとする。同様に、ヒストグラム生成回路９１から出力されるヒストグラムＢが入力されたか否かの判別をし（ステップＳ４）、ヒストグラムＢが入力されるとその閾値を設定し（ステップＳ５）、ヒストグラムＢに基づく枚数カウントを行う（ステップＳ６）。このカウント値をＢとする。
【００８９】
そしてカウント値Ａのみを使用するか否かの判別をする（ステップＳ７）。カウント値Ａのみを使用するか否かは、たとえば操作者（行員）が予め新券発行機１の操作部６を操作することにより設定することができる。また、上述したステップＳ２における閾値設定およびステップＳ５における閾値設定の閾値の設定や変更も、操作者（行員）が操作部６を操作することにより設定値を入力したり、変更したりすることが可能であり、この入力された閾値に基づいて閾値設定が行われる。
【００９０】
カウント値Ａのみを使う場合には（ステップＳ７でＹＥＳ）、計数回路９２は紙幣枚数としてＡの値を出力し（ステップＳ８）、処理を終える。
【００９１】
一方、ステップＳ７でカウント値Ａのみを使用しないと判別された場合には、カウント値Ａをカウント値Ｂにより補完する処理が行われる（ステップＳ９）。この補完処理では、カウント値Ａとカウント値Ｂとが比較される。その結果、カウント値Ａ＝カウント値Ｂか否かが判別され（ステップＳ１０）、Ａ＝Ｂであれば、紙幣枚数としてカウント値Ａを出力する（ステップＳ８）。
【００９２】
ステップＳ１０でＡ＝Ｂでなければ、エラー出力を出し、再計数処理指令を出力する（ステップＳ１１）。
【００９３】
このように、カウント値Ａをカウント値Ｂにより補完する処理を行えば、２種類の方法で枚数が計数され、両者が一致した場合にのみ紙幣枚数が出力されるので、その枚数は正確な狂いのない枚数となる。
【００９４】
なお、この処理には記載していないが、カウント値Ｂのみを使用し、それを紙幣枚数として出力することも可能である。
【００９５】
図１７の説明においては、Ｓ１１でＡ＝Ｂでなければエラーを出力するようにしたが、枚数カウントＡまたは枚数カウントＢのデータのいずれかを優先して算出し、不明な部分を他方の枚数カウントのデータで補完して算出しても構わない。
【００９６】
例えば、枚数カウントＢを優先して算出する場合、図１５（Ｂ）に示す如く、ヒストグラムが一定閾値以下（図１５（Ｃ）中の３の計数をした部分）があった場合、その部分について枚数カウントＡのデータを参照し、閾値以下のデータであっても隙間であるか否か、即ち一枚に相当するかどうかを判断するようにしても構わない。また、枚数カウントＡを優先し、枚数カウントＢによってデータを補完するようにしても構わない。
【００９７】
更にその他のカウントの方法として、端縁部分を枚数カウントＡとＢとによってカウントし、端縁が内側に入り込んだ状態を図１９に示す方法でカウントすることで、より精度の高いカウントが行える。
【００９８】
ところで、この実施形態に係る新券発行機１では、図１８の（Ａ）に示すように、紙幣収納庫１０に傾斜した揃え平面１３を設け、その揃え平面１３によって収納する積層紙幣の端縁を一方向にずらし、紙幣端縁を階段状に揃える構成であった。
【００９９】
かかる揃え平面１３を用いる構成に代え、図１８（Ｂ）〜（Ｄ）に示すようにして、紙幣を一方向にずらし、紙幣端縁を階段状にする構成を採用することも可能である。
【０１００】
すなわち、図１８（Ｂ）に示すように、紙幣収納庫１０は、当初は、正面視縦長長方形状の収納庫とし、紙幣収納後にその底面１３Ｂ一端が下がり、斜めの底面となるような構成としてもよい。
【０１０１】
または、図１８（Ｃ）に示すように、当初正面視が縦長長方形状の収納庫１０の底面１３Ｂが一端を中心に他端が斜め上方へ持ち上がり、それにより積層紙幣が一方向にずらされる構成とすることもできる。この構成の場合、紙幣繰り出し部と紙幣との間隔が狭まり、紙幣の投出に要する時間を短縮することが可能である。
【０１０２】
さらに、図１８（Ｄ）に示すように、図１８（Ａ）〜（Ｃ）のいずれかの構成に加えて、紙幣収納庫１０と紙幣との間、および、紙幣と紙幣との間に生じる摩擦抵抗を低減するために、紙幣収納庫１０に振動９３を与える構成を加えてもよい。振動を与えることにより、紙幣収納庫１０の底面により確実に紙幣を当接させる効果が生じる。
【０１０３】
なお、振動９３を与えるのに代えて、あるいは振動９３を与えるのに加えて、紙幣収納庫１０と紙幣との間、および、紙幣と紙幣との間に生じる摩擦抵抗を低減するために、集積紙幣に対して側方または上方から空気を吹き当てる構成を加えてもよい。
【０１０４】
以上説明した実施例では、計数装置１０により枚数を計数する集積した紙幣は、一方向にずらして紙幣の端部を階段状にする構成を説明した。
【０１０５】
しかし、この発明は、紙幣の端縁を必ずしも階段状にずらす必要はなく、以下に説明する方法を用いることにより、積層された紙幣であって、その端縁が階段状にずらされていない集積紙幣であっても、その枚数を正確に計数することが可能である。
【０１０６】
図１９（Ａ）は、積層した紙幣（端縁が階段状にずらされていない積層紙幣）の端縁部を、集積側方から見た様子を図解的に表わした図である。図１９（Ａ）に示すように、積層した紙幣の端縁部分は、各紙幣の端縁がきちんと揃っておらず、端縁が左右に細かくずれていることがある。特に、新券ではなく、使用紙幣にあっては、集積して積層し、端縁を揃えようとしても、各紙幣の傷みや歪み等により端縁がきちんと揃わないことが多い。また、図１９（Ａ）に示すように、何枚かの紙幣はその端縁が湾曲していることもある。
【０１０７】
この実施例では、図１９（Ａ）に示すように、端縁が階段状になっておらず、しかも端縁が揃っていない紙幣の集積側方から撮像した画像データに次のようなデータ処理を施すことにより、画像データを分析し、紙幣枚数を検出する。
【０１０８】
図１９（Ａ）の部分拡大図である図１９（Ｂ）を参照して、イメージセンサ８０により積層紙幣の端縁部分が集積側方から撮像される際、イメージセンサ８０の撮像ピッチ（スキャン方向への撮像ラインの間隔）がたとえば３０μｍピッチであるとすれば、１枚の紙幣は１００μｍの厚みを有するから、１枚の紙幣は通常３回ライン方向に読み取られる。
【０１０９】
イメージセンサ８０の１ラインの読み取りデータには、ライン方向に画素濃度が極端に変化する端縁（エッジ）が現れるが、たとえば１枚目の紙幣の読み取り時には、第１ラインＲ１、第２ラインＲ２により、位置Ｃに第１枚目の紙幣の端縁が出力される。また、第３ラインＲ３では、第１枚目の紙幣の端縁が位置Ｃに検出され、第２枚目の紙幣の端縁が位置Ｅに検出される。さらに第４ラインＲ４の読み取りでは、第２枚目の紙幣の端縁が位置Ｅに現れ、第５ラインＲ５の読み取りでは位置Ｃに第３枚目の紙幣の端縁が現れ、位置Ｅに第２枚目の紙幣の端縁が現れる。第６ラインＲ６では、位置Ｃに３枚目の紙幣の端縁が現れる。
【０１１０】
このように、各読み取りライン毎に検出される紙幣の端縁情報をマトリクス状に展開すると図２０（Ａ）に示すデータテーブルが得られる。このデータテーブルに基づいて、端縁の位置を整理すると図２０（Ｂ）に示す枚数分析用のデータテーブルを得ることができる。そしてこの図２０（Ｂ）に示す枚数分析用データテーブルに基づき、たとえばスキャン方向にエッジの位置が同じ位置に３つ連続して現れた場合に、それは紙幣の端縁であると判別する。この結果、積層した紙幣の端縁がずれたり、曲がったりしていても、正しく各紙幣の端縁を検出することができ、紙幣枚数を端縁情報に基づいて正確に計数することができる。
【０１１１】
上述した説明では、説明の便宜上１枚の紙幣につき３回のライン読み取りが行われるものとしたが、実際には、イメージセンサ（ラインセンサ）８０のスキャン方向へのラインピッチは３μｍ〜１０μｍ程度のごく細かなピッチであるから、１枚の紙幣のスキャン回数は上記３回よりもさらに多く、連続して現れる端縁情報の数も１０〜１５程度を基準に端縁か否かの判別ができるので、極めて正確に紙幣枚数を計数することが可能である。
【０１１２】
図２１〜２４は、計数装置４０による別の計数処理の仕方を説明するための図である。
図２１は、新券発行機１における収納された集積紙幣と計数装置４０との配置関係を表わす図解的な部分縦断面図であり、図９における計数装置４０の配置と対比して描いた図である。
【０１１３】
図２１に示すように、計数装置４０による集積紙幣Ｍの読み取り位置を、積層紙幣Ｍの後方下部のコーナーＣを中心とする位置にすることにより、コーナーＣを中心に紙幣の長辺側の端縁および短辺側の端縁の両方を一度に撮像することができる。
その結果、図２２（Ａ）に示す読み取り画像は、図２２（Ｂ）に示すものとなる。
【０１１４】
つまり、１つのイメージセンサ８０により積層紙幣ＭのコーナーＣを中心に一方側縁および他方側縁を同時に撮像することにより、一方側縁側の紙幣が内部にずれていたり、他方側縁側の紙幣が内部にずれている場合は、図２２（Ｃ）に示すように、一方側または他方側からはずれた紙幣の端縁を撮像できない。しかし、反対側側縁の画像が正しく撮像されていれば、左右に延びる１本の直線が撮像されるものとみなして、一方側縁の画像を他方側縁の画像により補完しながら、あるいは逆に、他方側縁の画像を一方側縁の画像によって補完しながら、正しく紙幣枚数を検出することが可能である。
【０１１５】
その際に、積層した紙幣Ｍは、ずらすことなく積層した状態としてもよいが、好ましくは、図２３（Ａ）（Ｂ）に示すように、紙幣Ｍを短辺ＭＳ方向に、または長辺ＭＬ方向に、あるいは短辺ＭＳ方向および長辺ＭＬ方向の両方の方向にずらすように積層し、そのずらされた積層画像に基づいて紙幣の一方端縁部および他方端縁部の段差を検出する構成としてもよい。
【０１１６】
すなわち、図２４（Ａ）〜（Ｃ）に示すように、集積した紙幣Ｍのコーナー部を撮像するにあたり、集積した紙幣ＭのコーナーＣの部分がずれていることにより、積層した紙幣の一部が中に入り込んで隠れている場合にも、その紙幣のコーナーＣを確実に検知して、段差情報等を見逃すことなく、紙幣枚数を正確に検出することが可能である。
【０１１７】
図２５〜図２８は、この発明の他の実施形態を説明するための図である。イメージセンサ８０Ｄを用いることにより、紙幣収納庫に紙幣が確実に収納されたか否かを機械的に検出することができる。
【０１１８】
銀行などの金融機関の営業店では、現金管理が重要な要素であるが、現金を紙幣発行機等に収納するのは、操作者（行員）が手動操作で行っている。収納された紙幣枚数、金額等のデータは、紙幣収納という動作とは別に操作者のデータ入力により行われている。このため、実際に、紙幣が収納されたか否か、追加収納されたか否かは、自動的にかつ機械的に管理がされているわけではない。
【０１１９】
そこで、この発明の実施形態を用いることにより、操作者（行員）が紙幣収納庫に紙幣を収納したか否かを自動的に、かつ、短時間で確認することが可能となる。
【０１２０】
図２５は、たとえば先に説明した新券発行機１における紙幣収納庫１０（１０Ａ、１０Ｂ）を見た図解図である。図２５において、４種類の紙幣を収納する収納庫を、それぞれ収納庫１、２、３、４とする。ここに、収納庫１には２千円紙幣、収納庫２には千円紙幣、収納庫３には５千円紙幣、収納庫４には１万円紙幣が収納されているとする。そしてイメージセンサ８０Ｄによって矢印Ａ３方向に収納された紙幣が撮像される構造とする。
【０１２１】
図２６に示すように、イメージセンサ８０Ｄで得られる画像を分析すると、各収納庫１〜４の集積紙幣の集積方向厚みが検出され、追加収納前の状態（Ａ）と、追加収納後の状態（Ｂ）とが比較できる。つまり、千円紙幣および５千円紙幣の補充前後の状態を比較できる。
【０１２２】
紙幣の補充により、収納庫における補充した金種の紙幣の積層厚みが変化するから、図２７に示すように、各紙幣におけるあるべき状態の積層紙幣の厚みを表わすパルス幅と、検出された実際の状態における積層紙幣の厚みを表わすパルス幅とが一致しなかった場合には、装填ミスと判別して、警報ランプを点灯したり、警報音を鳴動させたりして、操作者（行員）による紙幣の誤った収納を阻止することができる。
【０１２３】
この検知は、操作者（行員）により紙幣収納庫に紙幣が収納された直後に行うことにより、誤収納を迅速に検知して、現金管理の厳密化を達成することができる。
【０１２４】
また、この検知では、イメージセンサ８０Ｄは、紙幣の厚みの変化を検知すればよく、厳密に枚数を計数する必要がないので、比較的短時間で、かつ、必要な紙幣の収納量の変化を正しく検知することができる。
【０１２５】
図２８は、カセットタイプの例である。紙幣発行機や金銭出納機に収納する紙幣を、カセットに収納してから収納する場合、カセットに紙幣の積層状態を検知する小型のイメージセンサ８０Ｄを装着しておけばよい。
【０１２６】
かかる構成により、従来は、間違えないように収納する、ということだけで、実際にはその事実が把握できていなかった操作者（行員）による紙幣の収納を、確実に、自動で、かつ短時間で確認することが可能となる。
【０１２７】
また、操作者情報とを関連づけることにより、ミス率の低減や、業務の信頼性の向上に活用することが可能である。
【０１２８】
図２９および図３０は、この発明のさらに他の実施形態を説明するための図解図である。金融機関の営業店等では、前述したように、現金管理が重要な要素の１つである。従来、たとえば紙幣収納庫に現金を収納する場合には、収納庫の扉を開けたか否かは、扉開閉センサ等が設けられていて、機械的に開閉が確認されていた。
【０１２９】
一方、紙幣収納庫内の紙幣に操作者（行員）が手を触れて、収納紙幣を増減させたか否かについては、従来は管理対象外であり、機械的な検知は行われていなかった。
【０１３０】
このため、現金管理にトラブルがあった場合には、誰が紙幣収納庫の扉を開閉したかは確認できても、その操作者（行員）が収納された紙幣に触れたか否かについては確認できなかった。
【０１３１】
そこでこの発明に係る計数装置を用いることにより、次のようにして操作者（行員）が紙幣に触れたか否かの確認を行うことができる。
【０１３２】
図２９に示すように、たとえば収納庫１、２、３、４の４つの収納庫が設けられている場合に、イメージセンサ８０Ｅにより、これら４つの収納庫に積層状態で収納された紙幣を積層側方から検知できる構成とする。そして検知したデータをメモリに格納し、紙幣収納庫の扉が開閉される毎に、収納された紙幣の端縁画像を撮像して記憶する。
【０１３３】
その結果、撮影画像を対比することにより、積層された紙幣の枚数が変化したり、位置がずれたりすることに伴う微妙な変化を確認できる。たとえば、図３０において、紙幣Ｍ２が抜き取られることにより、紙幣Ｍ１の端縁ＰＳがＰＳ′に変化した等を検出することが可能である。
【０１３４】
従って、この実施形態に係る計数装置を設けることにより、現金管理においてトラブルがあったときに、操作者（行員）が現金に触れたか否かの確認ができ、非常に厳格な現金管理を実現することができる。
【０１３５】
この実施形態の説明では、全て、計数対象物を紙幣として説明したが、この発明は、先に説明した通り、計数対象物はカード状体であればよく、紙幣以外のカード状体の計数にも適用することが可能である。
【０１３６】
その他、この発明は、請求項記載の範囲内において種々の変更が可能である。
【符号の説明】
【０１３７】
１    新券発行機
１０、１０Ａ、１０Ｂ    紙幣収納庫
４０    計数装置
８０、８０Ｄ、８０Ｅ    イメージセンサ
８２    画像処理回路
９２    計数回路
【図１】
2010237783.tif 000003
【図２】
2010237783.tif 000004
【図３】
2010237783.tif 000005
【図４】
2010237783.tif 000006
【図５】
2010237783.tif 000007
【図６】
2010237783.tif 000008
【図７Ａ】
2010237783.tif 000009
【図７Ｂ】
2010237783.tif 000010
【図８】
2010237783.tif 000011
【図９】
2010237783.tif 000012
【図１０】
2010237783.tif 000013
【図１１】
2010237783.tif 000014
【図１２】
2010237783.tif 000015
【図１３】
2010237783.tif 000016
【図１６】
2010237783.tif 000017
【図１７】
2010237783.tif 000018
【図１８】
2010237783.tif 000019
【図１９】
2010237783.tif 000020
【図２０】
2010237783.tif 000021
【図２１】
2010237783.tif 000022
【図２２】
2010237783.tif 000023
【図２３】
2010237783.tif 000024
【図２４】
2010237783.tif 000025
【図２５】
2010237783.tif 000026
【図２６】
2010237783.tif 000027
【図２７】
2010237783.tif 000028
【図２８】
2010237783.tif 000029
【図２９】
2010237783.tif 000030
【図３０】
2010237783.tif 000031
【図１４】
2010237783.tif 000032
【図１５】
2010237783.tif 000033